Podtech/llm-jp-corpus-v4-ja_patent huggingface dataset:
(57)【要約】      （修正有）【課題】磁石だけのブレスレットの機能とゲルマニウムの効能を安価で供給する。【解決手段】磁石１にゲルマニウムをメッキし、メッキした磁石２を連結する。【選択図】図１
0003127678.tif 000002
【実用新案登録請求の範囲】
【請求項１】
磁石１の表面にゲルマニウムをメッキする。ゲルマニウムをメッキした磁石を磁石２とする。
【請求項２】
磁石２を連結しブレスレット、ネックレス、指輪として使用する。
【請求項３】
磁石２の間に他の物質、又磁石はを挟んでもよい。
【考案の詳細な説明】
【考案の詳細な説明】
【考案が解決しようとする課題】
【００１】    従来、磁石だけで連結するブレスレットは存在し、またゲルマニウムをメッキしたブレスレットも存在したしかし両方の機能をもつブレスレットは存在しなかった。
【課題を解決するための手段】
上記目的を達成するために、磁石にゲルマニウムをメッキする。
【考案の効果】
本考案は、磁石の容易な連結性能、脱着性能と磁石の表面にゲルマニウムをメッキする事でゲルマニウムイオンによる生理活性効果を同時に供給でき、また安価で製品を供給できる。
【図面の簡単な説明】
【図１】ゲルマニウムをメッキした磁石の断面図である。
【図２】ゲルマニウムをメッキした磁石の連結状態の図である。
【図３】磁石２の間に他の物質、磁石１を挟んだ図である。
【符号の説明】
１  磁石
２  ゲルマニウムのメッキ層である。
３  他の物質、又は磁石１
【図１】
0003127678.tif 000003
【図２】
0003127678.tif 000004
【図３】
0003127678.tif 000005
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
１）球状の磁石１にゲルマニウムをメッキする。
２）ゲルマニウムをメッキした磁石を磁石２とする。
３）磁石２を磁力により連結する。
以上の構成からなることを特徴及び形状を有するブレスレット。
(57)【要約】【課題】足腰が不自由で一人で立ってパンツが下ろせなくても、便器に座ってから局部を露出して用を足すことができる。【解決手段】股上の部分を二重にして縫い合わせないでおくことによって、通常は重ね合わせて着用し、用を足すときだけ左右に開くことができるようにする。【選択図】図１
0003127672.tif 000002
【実用新案登録請求の範囲】
【請求項１】
股部分が割れることで、下ろさないでも用が足せるパンツ。
【請求項２】
洋式便器に腰掛けてから、局部を露出することができるパンツ。
【請求項３】
股上の部分の布がウエスト部分から二重に重なっていて、それぞれが縫い合わされていないので、布を両側に掻き分けることができるパンツ。
【考案の詳細な説明】
【技術分野】
【０００１】本発明は、介護用パンツに関し、両手を用いて手すりにつかまっていないと立てない人に便利な介護用パンツに関するものである。
【背景技術】
【０００２】手すりにつかまっていないと立位を保てない人は、介護者に頼んでパンツを下ろさないと用が足せない。そこで、便器に座る前にパンツを下ろさなくても、便器に座ってから局部を開放できるようにすると、介護者の手を借りないでも用を足すことができる。車椅子や歩行器から一人で移動して便器に腰掛けることができれば用を足すことができる。
【考案の開示】
【考案が解決しようとする課題】
【０００３】パンツを下ろさないで局部を開放することができる。
【課題を解決するための手段】
【０００４】パンツの股上部分を二枚の布を重ね合わせるだけにし、便器に腰掛けてから手で重なっている部分を開くことによって用を足すことができる。
【考案の効果】
【０００５】足腰の不自由な人が介護者の手を借りずに用を足すことができる。
【考案を実施するための最良の形態】
【０００６】パンツの股上部分を前後とも左右から張り出して重ね合わせる。
【産業上の利用可能性】
【０００７】介護者の手を借りずに用を足すことができれば、介護者の人手不足に対応できる。
【図面の簡単な説明】
【０００８】
【図１】この発明のパンツを着用した状態を示す正面図である。
【図２】この発明のパンツを着用したままで用を足している状態を示す背面図である。
【図１】
0003127672.tif 000003
【図２】
0003127672.tif 000004
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
股上部分において、左右の股上部分の布がウエスト部分から二重に重なっていて、ウエスト部分以外は前後の重なり部分で左右の布が縫い合わされていないので、左右の股上部分を覆う布を両側に掻き分けることができる構造のパンツ。
【請求項２】
股下部分は左右の足の付け根から足をくるむためにそれぞれ縫い合わされているが、股下部分の長さは用途に応ずるものとする。
【手続補正２】
【補正対象書類名】明細書
【補正対象項目名】０００８
【補正方法】変更
【補正の内容】
【０００８】
【図１】パンツ股上部分の構造を示したもの。股下部分の下部は省略してある。
【手続補正３】
【補正対象書類名】図面
【補正対象項目名】全図
【補正方法】変更
【補正の内容】
【図１】
0003127672.tif 000005
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
股上部分において、左右の股上部分の布がウエスト部分から二重に重なっていて、ウエスト部分以外は前後の重なり部分で左右の布が縫い合わされていないので、左右の股上部分を覆う布を両側に掻き分けることができる構造のパンツ。
【請求項２】
股下部分は左右の足の付け根から足をくるむためにそれぞれ縫い合わされているが、用途に応じた長さと開閉可能部分を有するものとする。
【手続補正書】
【提出日】平成18年6月8日(2006.6.8)
【手続補正１】
【補正対象書類名】実用新案登録請求の範囲
【補正対象項目名】請求項２
【補正方法】変更
【補正の内容】
【請求項２】
股上部分が重なっていて開くことができることを特徴とするパンツにおいて、股下部分は左右の足の付け根から足をくるむためにそれぞれ縫い合わされているが、用途に応じた股下長さと股下開閉可能部分を有することを特徴とする請求項１記載のパンツ。
(57)【要約】      （修正有）【課題】玄米粉をいり焼きにした物をきび砂糖と合わせた玄米くず餅の提供。【解決手段】玄米粉ときび砂糖の組み合わせとくず餅とその他のお菓子類の組み合わせが重要な点。（１）玄米をいり焼きにする。（２）微粒子にする。（３）微粒子玄米をきび砂糖と合わせる。（４）くず餅などわらび餅トーフ食パンなどにかける。（５）牛乳、玄米コーヒーなどで飲むことでビタミンＢ１ミネラル類が摂取できる。【選択図】図１
0003127671.tif 000002
【実用新案登録請求の範囲】
【請求項１】
玄米粉ときび砂糖を１袋に入れ、くず餅にかけて食べる
この組み合わせがなかった。
玄米をいり焼することにより総合のビタミン類、ミネラルなど、自然のきび砂糖と合わせる事により、多くの栄養素を摂取できる。
【考案の詳細な説明】
【考案の詳細な説明】
【００１】［技術分野］
この考案は、くず餅ときび砂糖と玄米粉の組み合わせが重要である。
白米ではビタミンＢ１が少ない為、玄米を使用する。
事により、いままで見過ごしていた多くの栄養素を取入れやすくまた焼く事により香を楽しめる。玄米いり粉である。
【００２】［従来の技術］
従来より玄米をいり焼きにしたコーヒーは、ありましたがコーヒーの底に玄米が残ります。くず餅などに、かけるには玄米粉が荒く微粒子と言っても荒かった
微粒子にすることによりくず餅と玄米粉の相性が良い
【００３】［考案が解決しようとする課題］
これには次のような欠点があった。
イ  くず餅とお菓子類にあわせた品物がない点
ロ  コーヒーカップの底に残る為飲みにくい点
ハ  赤ちゃん病人子供など微粒子といってもあらく食べにくい点
ニ  栄養の宝庫である食品を捨てていた点
本考案は以上の欠点を解決する為になされたものである。
【００４】［課題を解決するための手段］
（１）きび砂糖と玄米粉を合わしたものをくず餅にふりかけることが大切な点
（２）玄米をいり焼きする。玄米粉をくずもちにかけて食べる
（３）子供、病人赤ちゃんの離乳食など焼き時間を変える。
（４）香を楽しむ  またくず餅  牛乳またお湯と混ぜる粉末を細かくする。
本考案は以上の構成により玄米くず餅である。
【００５】［考案の実施の形態］
以下、本考案の実施の形態を説明する。
イ  くず餅ときび砂糖と玄米粉と合わせる事が重要である。          （１）
ロ  玄米をいり焼きにすることで日持ちすること                    （２）
ハ  玄米は栄養の宝庫できび砂糖と合わせると多くの人々に食される。（３）
ニ  香は、時間と煎りかたでかわる。
ホ  子供、離乳食特に病人のおやつなどに食べやすくできる。        （４）
【００６】［考案の効果］
本考案を使用すると、今の大人、子供の、栄養のかたよりからおこりっぽく、きれやすい、いらいらする、事件が多いため。
白米では、栄養素が少々、玄米は精米していない為栄養価が高い。
病人、子供、赤ちゃんは、きび砂糖を合わせることにより、砂糖きびが持っている、自然の風味や成分を、そのまま残し、つくられたお砂糖のためにカリウム、カルシウム、マグネシウム、ミネラルその他の、栄養素が玄米煎り焼き粉と合わせることで、摂取できる。
【００７】［考案の使用方法］
１  玄米コーヒー、お茶として飲む。牛乳、お湯などに混ぜる
２  吉野くず、わらび餅、おはぎ、おもち、トーフ、などにかける。
３  食パンにバターをぬり玄米粉を上にのせて食べる。
0003127671.tif 000003
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
玄米粉をくず餅にふりかけてなる玄米くず餅
【請求項２】
前記玄米粉にはきび砂糖が混ぜ込まれている、請求項１に記載の玄米くず餅
【手続補正２】
【補正対象書類名】明細書
【補正対象項目名】全文
【補正方法】変更
【補正の内容】
【考案の詳細な説明】
【技術分野】
【０００１】  この考案は、くず餅ときび砂糖と玄米粉の組み合わせが重要である。白米ではビタミンＢ１が少ない為、玄米を使用することにより
いままで見過ごしていた多くの栄養素を取入れやすくする。
また焼く事により香を楽しめる。玄米いり粉である。
【背景技術】
【０００２】従来より玄米をいり焼きにしたコーヒー  は、ありましたがコーヒーの底に玄米が残ります。くず餅などに、かけるには、玄米粉が荒く微粒子と言っても荒かった点。
超微粒子にすることによりくず餅と玄米粉の相性が良い。
【考案が解決しようとする課題】
【０００３】    これには次のような欠点があった。
▲１▼くず餅とお菓子類に組あわせた品物がない点。
▲２▼コーヒーカップの底に残る為飲みにくい点。
▲３▼赤ちゃん病人子供など微粒子といってもあらく食べにくい点。
▲４▼栄養の宝庫である米の胚芽食品を捨てていた点。
本考案は以上の欠点を解決する為になされたものである。
【課題を解決するための手段】
【０００４】（１）きび砂糖と玄米粉を混合したものをくず餅にふりかけることが大切な点
（２）玄米をいり焼きする。玄米粉をくずもちにかけて食べる
（３）子供、病人赤ちゃんの離乳食など焼き時間を変える。
（４）香を楽しむ  またくず餅  牛乳またお湯と混ぜる    粉末を細かくする。
本考案は以上の構成から成る玄米くず餅である。
【考案を実施するための最良の形態】
【０００５】  以下、本考案の実施の形態を説明する。
１  くず餅ときび砂糖と玄米粉と合わせる事が重要である。          （１）
２  玄米をいり焼きにすることで日持ちすること                    （２）
３  玄米は栄養の宝庫できび砂糖と合わせると多くの人々に食される。（３）
４  香は、時間と煎りかたでかわる。
５  子供、離乳食特に病人のおやつなどに食べやすくできる。        （４）
【図１】
玄米粉ときび砂糖を１袋にいれ入れくず餅にふりかけて食する。この組み合わせがなかった。
玄米粉をいり焼をすることにより総合のビタミン類  ミネラルなど自然のきび砂糖と合わせることにより多くの栄養素を摂取できる。
【考案の効果】
【０００６】  本考案を使用すると、今の大人、子供の、栄養のかたよりからおこりっぽく、きれやすい、いらいらする、事件が多いため。
白米では、栄養素が少々、玄米は精米していない為栄養価が高い。
病人、子供、赤ちゃんは、きび砂糖を合わせることにより、砂糖きびが持っている、自然の風味や成分を、そのまま残し、つくられたお砂糖のためにカリウム、カルシウム、マグネシウム、ミネラルその他の、栄養素が玄米煎り焼き粉と合わせることで、摂取できる。
【考案の使用方法】
【０００７】１＿＿＿＿＿＿  お茶として飲む。牛乳、お湯などに混ぜる
２  吉野くず、わらび餅、おはぎ、おもち、トーフ、などにかける。
３  食パンにバターをぬり玄米粉を上にのせて食する。
【図面の簡単な説明】
【０００８】
【図１】本考案のくず餅に玄米粉をかける正面図である。
【符号の説明】
【０００９】１  玄米くず餅の粉袋入
２  玄米粉
３  皿
４  くず餅
【手続補正３】
【補正対象書類名】図面
【補正対象項目名】全図
【補正方法】変更
【補正の内容】
【図１】
0003127671.tif 000004
(57)【要約】      （修正有）【課題】伸縮可能なストックにおいて、伸張したシャフトが硬くしまり、縮小しようと力を入れて廻しても、手がかりとなる第３シャフトは先端部がテーパーになっていることもあり、手がすべり廻すことが出来難いことを解決する。【解決手段】第３シャフト先端部雪抑え用輪のはまっている箇所の、根元から長さ３０ｍｍのホールドを取付けた。試作品としては鉛の薄板に表面にコランダムを貼り付け、裏面に接着剤と塗布した厚さ約１ｍｍの物を、第３シャフトテーパー部分に巻きつけた。この結果コランダムの凹凸が力を入れて廻すだけのホールドとしての役割を果たし、上記問題点を解決した。商品化においては、第１、第２ホールドと同じゴム製の成型品を作り、接着剤でシャフトに取付けるべく出ある。基本は以上記述した内容が考案を実施するための最良の形態となる。【選択図】図１
0003127680.tif 000002
【実用新案登録請求の範囲】
【請求項１】
屋外スポーツ用伸縮可能なストック第３シャフト先端テーパー部に、新たに考案した第３ホールド
【考案の詳細な説明】
【技術分野】
【０００１】  本考案は、屋外スポーツ用伸縮可能なストック第３シャフト先端テーパー部に、新たに考案した第３ホールドに関するものである。
【背景技術】
【０００２】  現在屋外スポーツ用品市場に販売されている、伸縮可能なストックはどのメーカーの製品もシャフトが３段である。シャフトを回すことで伸縮が可能な構造である。廻す為の力を入れる手がかりを、ホールドと呼ぶとする。
第１シャフト先端には第１ホールドが、第２シャフト先端には第２ホールドが取付けられている。問題は第３シャフト先端部テーパーになっている部分にシャフトを廻すための手がかりとなるホールドがない事である。登山等屋外スポーツで使用すると、伸張したシャフトが硬くしまり、縮小しようと力を入れて廻しても、手がかりとなる第３シャフトは先端部がテーパーになっていることもあり、手がすべり廻すことが出来難い。この為下山時に第３シャフトをちじめる事が出来ず、長いまま持ち帰る事が多くある。
【考案の開示】
【考案が解決しようとする課題】
【０００３】現在屋外スポーツ用品市場に、販売されている、伸縮可能なストックはどのメーカーの製品もシャフトが３段である。シャフトを回すことで伸縮が可能な構造である。廻す為の力を入れる手がかりを、ホールドと呼ぶとする。問題は第３シャフト先端部テーパーになっている部分にシャフトを廻すための手がかりとなるホールドがない事である。登山等屋外スポーツで使用すると、伸張したシャフトが硬くしまり、縮小しようと力を入れて廻しても、手がかりとなる第３シャフトは先端部がテーパーになっていることもあり、手がすべり廻すことが出来難い。この為第３シャフトは先端部がテーパーになっている箇所に回転させる時のホールドを設ける点が本考案で解決しようとする課題である。
【課題を解決するための手段】
【０００４】第３シャフト先端部雪抑え用輪のはまっている箇所の、根元がら長さ３０ｍｍのホールドを取付けた。試作品としては鉛の薄板に表面にコランダムを貼り付け、裏面に接着剤と塗布した厚さ約１ｍｍの物を、第３シャフトテーパー部分に巻きつけた。この結果コランダムの凹凸が力を入れて廻すだけのホールドとしての役割を果たし、上記問題点を解決した。
【考案の効果】
【０００５】  今までのようにテーパー部で手がすべることなく、考案した第３ホールドと、第２ホールドとを両手で互いに反対方向に廻すことが出来、伸張、縮小がスムースに行える。この動作は冬山を想定し、２重の手袋をはめて繰り返し実験したが、全てスムースに作動した。以上から本考案者は、考案目的を十分に達成したと判断した。
【考案を実施するための最良の形態】
【０００６】試作品では、コランダムを貼り付けた鉛の薄板をまきつけたが、商品化においては、第１、第２ホールドと同じゴム製の成型品を作り、接着剤でシャフトに取付けるべく出ある。基本は以上記述した内容が考案を実施するための最良の形態となる。
【実施例】
【０００７】  実施例はまだない。考案者が行った試作品の実験が唯一の実施例となる。
【図面の簡単な説明】
【０００８】
【図１】（１）伸縮性ストックの全体図を示す。（２）第１、第２シャフトの接続方法説明図（３）第３シャフト先端部テーパー部分に、新たに設ける第３ホールド（考案箇所）
【図１】
0003127680.tif 000003
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
伸縮可能なストックにおいて、先端部雪抑え用輪の上部の先端テーパー部に第３シャフトシャフトを廻すための手がかりとなる鉛の薄板に表面にコランダムを貼り付け、裏面に接着剤を塗布した厚さ約１ｍｍ、長さ３０ｍｍの凹凸を有した第３ホールドを設けたことを特徴とする伸縮可能なストック。
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
伸縮可能なストックにおいて、先端部雪抑え用輪の上部の先端テーパー部に第３シャフトを廻すための手がかりとなる鉛の薄板に表面にコランダムを貼り付け、裏面に接着剤を塗布した厚さ約１ｍｍ、長さ３０ｍｍの凹凸を有した第３ホールドを設けたことを特徴とする伸縮可能なストック。
(57)【要約】      （修正有）【課題】切り花の鮮度保持機能を有した使い捨て花器の提供。【解決手段】防水加工した紙製花器、プラスチック製花器又は、ポリ塩化ビニール等からなるスタンドパウチにゲル化剤、抗菌剤、栄養素、水からなる成分組成を花器容器に充填した。【選択図】図１
0003127676.tif 000002
【実用新案登録請求の範囲】
【請求項１】
ゲル化剤を主成分とした保水剤を、使い捨て花器に充填した鮮度保持機能性花器。
【考案の詳細な説明】
【技術分野】
【０００１】  本考案は、切り花の鮮度保持機能を有した使い捨て花器であり、花器の転倒時水漏れ防止機能を有する。
【背景技術】
【０００２】  老人ホーム及び病院等お見舞いに切花持参した時生花に合った花器が無く、頂いた方が困ることが多々有る。
【考案の開示】
【考案が解決しようとす課題】
【０００３】  従来花器は陶器製、ガラス製、金属製等重量が重く持ち運びが不便であり、水やりも面倒であった。
入院等一時的仮住まい時、切花の差し入れは有りがたくもあり、有りがた迷惑でもあった。
【課題を解決するための手段】
【０００４】  本考案は、防水加工した紙製花器、プラスチック製花器又は、ポリ塩化ビニール等からなるスタンドパウチにゲル化剤、抗菌剤、栄養素、水からなる成分組成を花器容器に充填したものである。
【考案の効果】
【０００５】  上述の様に、本考案の花器に直接切花の茎を挿入、数日間は水やり不必要、又、水漏れ防止の為持ち運びが可能である。
【考案の実施するための最良の形態】
【０００６】  本考案は汎用性を有し、花器の形状は問わない。
【図面の簡単な説明】
【０００７】
【図１】本考案の使い捨て花器及び充填したゲル化製剤、栄養素抗菌剤、水の実施例を示す正面図である。
【図２】切り花を本考案花器に活けた状態である。
【図１】
0003127676.tif 000003
【図２】
0003127676.tif 000004
(57)【要約】【課題】後部荷室の奥行き、幅共に狭い車に対して、車椅子の積載を可能にする。【解決手段】車両のヘッドレストポールに固定されるベース部と、このベース部に固定されたアームと、このアームに車椅子を掛止するフックを有し、前記フックの位置がベースに対して調整可能に構成される事により、車両の幅方向における前記車椅子の寸法が荷室の幅よりも縮小する様に、前記フック１３による掛止位置を調整する事により、後部荷室の幅が狭い車においても車椅子１８の積載が可能になる。構成する。【選択図】図４
0003127608.tif 000002
【実用新案登録請求の範囲】
【請求項１】
車両のヘッドレストポールに固定されるベース部と、このベース部に固定されたアームと、このアームに車椅子を掛止するフックを有し、前記フックの位置がベースに対して調整可能に構成される事により、車両の幅方向における前記車椅子の寸法を、後部荷室の幅よりも縮小する事が可能に構成される事を特徴とする車両用車椅子掛け具。
【請求項２】
前記ベース部に対して前記アームが、一端部で上下方向の角度調整が可能に固定される事を特徴とする請求項１記載の車両用車椅子掛け具。
【請求項３】
前記フックが前記アームの複数の位置に固定可能である事を特徴とする請求項１記載の車両用車椅子掛け具。
【請求項４】
前記ベース部の前記アームとの固定部が、前記ベース部の左右に夫々設けられた事を特徴とする請求項１記載の車両用車椅子掛け具。
【考案の詳細な説明】
【技術分野】
【０００１】
本考案は、車両の後部荷室に積載した車椅子の掛け具に関する。
【背景技術】
【０００２】
従来、車椅子を車両の後部荷室に収納する場合で、特に荷室の奥行きが十分取れない車両においては、例えば特許文献１に示さる様に、荷台の幅方向に車椅子の前後方向を向けて収納する。
【０００３】
しかしながら、軽自動車など、荷室内の車幅が車椅子の全長よりも狭い車両においては、車両への車椅子の積載が困難であった。
【特許文献１】特開平１１−７８６６３号公報
【考案の開示】
【考案が解決しようとする課題】
【０００４】
本考案の解決しようとする課題は、この様な後部荷室の奥行き、幅共に狭い車に対して、車椅子の積載を可能にする事である。
【課題を解決するための手段】
【０００５】
本考案は、車両のヘッドレストポールに固定されるベース部と、このベース部に固定されたアームと、このアームに車椅子を掛止するフックを有し、前記フックの位置がベースに対して調整可能に構成される事により、車両の幅方向における前記車椅子の寸法を、後部荷室の幅よりも縮小する事が可能に構成される事を特徴とする。
【０００６】
また、前記ベース部に対して前記アームが、一端部で上下方向の角度調整が可能に固定されると良い。
【０００７】
また、前記フックが前記アームの複数の位置に固定可能であると良い。
【０００８】
また、前記ベース部の前記アームとの固定部が、前記ベース部の左右に夫々設けられると良い。
【考案の効果】
【０００９】
本考案の車両用車椅子掛け具は、後部荷室の幅が狭い車に対して、車椅子の積載を可能にする物であり、その構造も単純であるため安価であり、また非常に簡単に車椅子を掛止めできるものである。また更に本考案においては、ベース部材に対するアームの角度が変える事が出来、更にアームに対してフックの固定位置を変更できるため、後部荷室の床面位置に対するヘッドレストポールの高さや、車椅子の形状・寸法の差異などに対応して適切な車椅子の係止位置を設定する事ができる効果があり、車両の幅方向における前記車椅子１８の寸法を後部荷室の幅よりも縮小する様に前記フック１３による掛止位置を調整する事により、後部荷室の幅が狭い車においても車椅子１８の積載が可能になる。
【考案を実施するための最良の形態】
【００１０】
以下図面によって本考案の実施例を説明する。
【実施例１】
【００１１】
図１は車両用車椅子掛け具の取り付け状態を示す正面図、図２は車両用車椅子掛け具の取り付け状態を示す参考平面図、図３はベース部とアームの固定部の関係を示す説明図である。
【００１２】
車両のヘッドレストポール１に固定されるベース部２は、一対のヘッドレストポール１との当接面を有するベース３と、前記ベース３との間でヘッドレストポール１を挟み込み可能な部分とナット部を有する締付部材４と、前記ベース３と締付部材４との間でヘッドレストポール１を固定するネジ５と、締付部材を覆う保護カバー６を有する。
【００１３】
そして、前記ベース３にはアーム７を軸支するアーム基部８がネジ９により固定される。尚、前記ベース３の左右両端に前記アーム基部８の取り付けネジ孔１０を設ける事により、前記アーム７をベース３の左右何れの位置にも固定する事ができる。
【００１４】
前記アーム７は、前記アーム基部８に対して任意の角度で固定可能に構成され、前記アーム基部８とアーム７の接合面１１には互いに凹凸部が形成され、前記アーム７をアーム基部８にネジ１２で締付けた時に咬合状態となる事により、アーム基部８に対してアーム７が回転する事を防止する。
【００１５】
また前記アーム７に固定されるフック１３は円筒状の胴部１４と、前記胴部１４の自由端に形成された胴部１４よりも大外径のフック部１５より構成される。また、アーム７には複数のフック１３の固定孔１６が形成され、前記フック１３はネジ１７により、前記アーム７の任意の位置に固定される。
【００１６】
尚、ヘッドレストポール１に対するベース部２の固定構造は本実施例に限定されず、既存の構造を適切に用いる事ができる。又、フックの形状は本実施例に限定されず、車椅子の構成部材の適切な箇所を支持できれば良い。又、フック部はベルト等を用いて、車椅子の支持箇所との離脱を防止する事ができ、その場合は車の揺れや振動によって車椅子がフック部から不用意に離脱する事を防止する事ができる。（図示せず）
【産業上の利用可能性】
【００１７】
図４に示す様に、本考案の車両用車椅子掛け具を使用する事により、車両の幅方向における前記車椅子１８の寸法が、車椅子を水平面に置いた状態よりも、前記フック１３による掛止状態において縮小する事が出来るため、ベース部２に対してフック１３を位置調整可能に構成される事により、車両の幅方向における前記車椅子１８の寸法を、後部荷室の幅よりも縮小する事ができ、後部荷室の幅が狭い車においても車椅子１８の積載が可能になる。
【図面の簡単な説明】
【００１８】
【図１】車両用車椅子掛け具の取り付け状態を示す正面図である。
【図２】車両用車椅子掛け具の取り付け状態を示す参考平面図である。
【図３】ベース部とアームの固定部の形状を示す説明図である。
【図４】車両用車椅子掛け具の使用状態を示す説明図である。
【符号の説明】
【００１９】
１    ヘッドレストポール
２    ベース部
３    ベース
４    締付部材
５    ネジ    
６    保護カバー  
７    アーム  
８    アーム基部
９    ネジ
１０  ネジ孔
１１  接合面
１２  ネジ
１３  フック
１４  胴部
１５  フック部
１６  固定孔
１７  ネジ
１８  車椅子
【図１】
0003127608.tif 000003
【図２】
0003127608.tif 000004
【図３】
0003127608.tif 000005
【図４】
0003127608.tif 000006
(57)【要約】【課題】  本考案は簡単な構造により、しかも複数の地点での面による固定を維持でき、面による固定作用の継続を期待できるフェンス用ネットの固定構造を提供せんとする。【解決手段】  固定パイプ２に長さ方向全長に亘ってスリット６を形成し、このスリット６に端部を固定パイプ２に巻着したネット１の先端を挿通し、スリット６を圧閉する方向へ、巻着したネット端部に当てた押え具３と共に固定パイプ２に挟圧部材４，５を貫通し、挟圧部材４，５で押さえ具３、ネット端部及び固定パイプ２を挟圧固定した。【選択図】  図２
0003127603.tif 000002
【実用新案登録請求の範囲】
【請求項１】
固定パイプに長さ方向全長に亘ってスリットを形成し、このスリットに端部を固定パイプに巻着したネットの先端を挿通し、スリットを圧閉する方向へ、巻着したネット端部に当てた押え具と共に固定パイプに挟圧部材を貫通し、挟圧部材で押さえ具、ネット端部及び固定パイプを挟圧固定したことを特徴とするフェンス用ネットの固定構造。
【請求項２】
ネットの端部が固定パイプに巻着する範囲は、固定パイプの周囲の４分の１から２分の１の間である請求項１記載のフェンス用ネットの固定構造。
【請求項３】
ネットが樹脂系の素材である請求項１又は２記載のフェンス用ネットの固定構造。
【請求項４】
挟圧部材がボルトとナットの組み合わせである請求項１乃至３記載のいずれか１項記載のフェンス用ネットの固定構造。
【考案の詳細な説明】
【技術分野】
【０００１】
本考案は防風、防雪、防砂或いは防塵等のフェンスのパネル部分を形成するネットの支柱や上下枠材に固定する構造に関するものである。
【背景技術】
【０００２】
従来のこの種ネットの固定構造は、固定パイプにネットの端部を当て、押え具を添えてボルト・ナットで三者を挟圧して固定した構造が最も一般的である。
【考案の開示】
【考案が解決しようとする課題】
【０００３】
上記従来の構造では、押え具でネット端部を押えることによる固定方法のため、ネットに引っ張りの荷重を受け続けると、径時変化によりネットの厚みが薄くなり、上からの押さえが利かなくなっていくのである。
そのため、結果的にボルトのみの固定作用となってボルトに負担がかかって、面から点の固定となるため、ネットが破損し離脱することとなるのである。
【０００４】
そこで、本考案は簡単な構造により、しかも複数の地点での面による固定を維持でき、面による固定作用の継続を期待できるフェンス用ネットの固定構造を提供せんとするものである。
【課題を解決するための手段】
【０００５】
本考案のフェンス用ネットの固定構造は、固定パイプに長さ方向全長に亘ってスリットを形成し、このスリットに端部を固定パイプに巻着したネットの先端を挿通し、スリットを圧閉する方向へ、巻着したネット端部に当てた押え具と共に固定パイプに挟圧部材を貫通し、挟圧部材で押さえ具、ネット端部及び固定パイプを挟圧固定したことを特徴とするものである。
【０００６】
ネットの端部が固定パイプに巻着する範囲は、固定パイプの周囲の４分の１から２分の１の間であるのが好適であり、また、ネットが樹脂系の素材でも良く、更に、挟圧部材にボルトとナットの組み合わせを利用できる。
【考案の効果】
【０００７】
本考案はスリットに挟圧される部分と、固定パイプと押さえ具で挟圧される部分の２箇所で、夫々が面接触によって挟持されるため強固な固定となる効果を期待できるものである。
そして、夫々の挟圧を共通の挟圧部材で行うため簡易な構成および作業となる効果も有するのである。
【０００８】
また、ネットの端部が固定パイプに巻着する範囲は、固定パイプの周囲の４分の１から２分の１の間とすることで、固定パイプに通常用いられる丸パイプや角パイプを考慮すれば、ネット端部の固定部分が引っ張り方向の荷重を直接受けるのを回避でき、押え具の当着スペースを確保できると共に、挟持部材の装着作業にも支障とならない利点が得られるのである。
【０００９】
引っ張り荷重を受けると伸びて厚みが薄くなり易い樹脂系素材のネットにも有効であり、更に、挟圧部材に取り扱いが容易であるボルトとナットの組み合わせを利用でき、作業効率が向上する効果も得られる。
【考案を実施するための最良の形態】
【００１０】
本考案の実施の形態例を図面に基づいて説明する。
図１は本考案の一実施の形態を示す斜視図であり、図２は同側面図である。
ネット１、固定パイプ２、押え具３、そして、挟持部材であるボルト４及びナット５より構成されている。
【００１１】
ネット１は、格子状に縦横に線体又は帯体が交錯して、編み又は織りで網目を形成し、或いは平面体に開口部を規則的に形成したもので、樹脂製又は金属製であり、防風、防雪、防砂或いは防塵等の目的に応じて適宜設計選択される。
図面では網目や開口部を省略して描いてある。
【００１２】
固定パイプ２は長さ方向に亘ってスリット６が形成され、このスリット６は前記ネット１の厚さよりも広い開口幅を有し、ネット１の端部を容易に挿通することができる。
また、素材は金属又は合成樹脂とし、スリット６を塞ぐ方向に固定パイプを挟圧すれば潰れてスリット１の開口幅が短小と成る強度とするべく素材と厚みを選択している。
そして、スリット６を塞ぐ方向の直径線上に対向する固定用透孔（図示せず）を適宜間隔で穿設してあり、後述のボルト４が通入可能となっている。
図面では丸パイプとしているが角パイプとしても良い。
【００１３】
押え具３は樹脂製又は金属製が適し、ネット１の長さをカバーして固定パイプ１へ押し当てることのできる長さと適当な幅を有し、固定パイプ１の前記固定用透孔と対応する取付孔（図示せず）が穿設してある。
そして、ボルト４は固定パイプ１の直径方向に、押え具３を介在して貫通すると共に、先端部が突出してナット５が螺合するのに充分な長さを有するものである。
【００１４】
そこで、張設するネット１の端部を固定パイプ２に固定するに際し、ネット１の端部を固定パイプ１の一部周囲に巻着すると共に、先端部を固定パイプ１のスリット６に挿通する。
次に、ネット１が巻着していて、且つ固定パイプ１の固定用透孔に、取付孔を合わせて押え具３をネット１に当て、更にボルト４を取付孔及び固定用透孔を貫通させ、ナット５で緊締する。
【００１５】
さすれば、押え具３と固定パイプ１に挟圧されるネット１の端部の面と、スリット６の幅が狭まって挟圧されるネット１の先端部の部分が同時に固定されることになる。
また、ボルト４の挿通に際しては、ネット１の網目や開口部を通るようにすれば支障は無く、該挿通によりネット１を係止する作用も奏することになる。
【００１６】
図１では、ネット１の固定パイプ２への巻着範囲が外周の２分の１となっているけれども、４分の１程度であっても作用効果に大差はなく、押さえ具３の配設位置や作業のし易さ等によって適宜決定することになる。
【図面の簡単な説明】
【００１７】
【図１】本考案の一実施の形態を示す斜視図である。
【図２】図１の側面図である。
【符号の説明】
【００１８】
１  ネット
２  固定パイプ
３  押え具
４  ボルト
５  ナット
６  スリット
【図１】
0003127603.tif 000003
【図２】
0003127603.tif 000004
(57)【要約】      （修正有）【課題】テフロン又はシリコンヒ−タ−の発熱体を使い、漏電性と発火性の安全に最も配慮した融雪パネルである。【解決手段】高所での危険な重作業を皆無としたパネルである。除雪する時にのみ入電力するもので、人災のみならず火災を配慮して、省力化並びに省エネ化を計ったものである。入電力により積雪全体を溶かすことでなく、積雪の底部を約１５〜２０ｃｍ程の高さを溶かすだけで、短時間の入電力で除雪を可能にしたものである。大量の雪を一度に除去するのではなく、上部下部２回線に配線した下部のパネルを作用させ除雪した後に、上部パネルを作用させ除雪し安全に配慮した融雪システムである。【選択図】図３
0003127256.tif 000002
【実用新案登録請求の範囲】
【請求項１】
畳状の大きさで熱伝導率の高いアルマイト処理したアルミ板の裏面にヒ−タ−の入る深い溝を設け、漏電性と発火性の低い安全な発熱体テフロン又はシリコンヒ−タ−を固定配線し、断熱シ−トを挟み熱伝導率の低い鋼板と挟持一体化し、屋根頂上には積雪量の探知センサ−を設け、メインスイッチにはタイムスイッチとヒ−トコントロ−ラ−を連結し、入電力により屋根面に設置したパネルの積雪の底部を溶かし、短時間で除雪を可能にしたもので積雪全体を溶かすことなく、危険な労働の省力化と省エネ化を計ったことを特徴とした融雪パネルである。
【請求項２】
上記パネル両端面に受電部と給電部２ケ所のコンセントを設け、屋根上のスペ−スに応じてパネルを連結し、設置することを特徴とした融雪パネルである。
【考案の詳細な説明】
［考案の詳細な説明］
【技術分野】
【０００１】本考案は、冬期時において屋根上の積雪除去省力化並びに省エネ化に関するものである。
【背景技術】
【０００２】従来冬期の除雪には大きな危険と多くの労力によって行なわれていた。
【考案の開示】
［考案を解決しようとする課題］
【０００３】しかしながら従来の方法では、多くの労力と大きな危険が伴った。
【課題を解決するための手段】
【０００４】本考案はこれらの課題を解決することを目的としたものである。本考案のうち、請求項１に記載された融雪パネルに入電力した時にのみ、ヒ−タ−より発熱作用が生じ屋根上積雪の底部１５〜２０ｃｍ程を融雪することで、極めて短時間に除雪できるのである。
【考案の効果】
【０００５】本考案は上述の如く、先ず人災と火災の未然防止と省力化、省エネ化を探求し、結実したものである。
又、電力は入電により積雪の底部１５〜２０ｃｍ程の高さが融雪できれば、極めて短時間で除雪が始まるものである。
従来のように積雪全体を除去するのでなく省力化、省エネ化が計れる所以である。
【考案を実施するための最良の形態】
【０００６】ヒ−トコントロ−ラ−を連結するパネル板には、漏電性と発火性を防ぐテフロン又は被覆材を用い、最も効率をよくするためにヒ−タ−線を配線する円形の深い溝を設け、ヒ−タ−表面積を広く板に接着するようにし、絶縁シ−トを挟んで裏板に使う低伝導率の鋼板と狭持一体化したものである。【０００７】屋根頂上部には半円形のパネルを使い、斜面の長さによって幾枚かの平面パネルを連結環を使い接続するものである。（図３）【０００８】屋根上部には積雪量を探知するセンサ−を設け、一定量に達した時自動入電をするものである。
【実施例】
【０００９】屋根上の積雪を一度に除去することは、積雪量の問題で危険の憂いが生じるため、下部パネルと上部パネルの２回線の配線にして、横側のパネルとを連結したものである。【００１０】パネルに連結した送電線は全て屋内配電盤につなぎ、上部と下部の２回線の配線  「０００９］で述べた作用を目的としたものである。【００１１】屋根上に設置したパネルを安定化するために、最下部パネル連結穴を使い軒下ハフと金具材で固定化するものである。
【産業上の利用可能性】
【００１２】今冬期未曾有の降雪で全国豪雪地帯１，７００万余世帯の家屋の中で、多くの家屋の倒壊と犠牲者が続出し、大きな社会問題になっている。
現在、最良の方法は未だなく、その対策に窮していると考える。本考案の融雪パネルの設置により、この難問題の解決に大きく寄与するものと考える。
【図面の簡単な説明】
【００１３】
【図１】は本考案の実施の形態例の部分断面図である。
【図２】は本考案の実施の形態例の平面図である。
【図３】は本考案の実施の形態例の側面図である。
【符号の説明】
【００１４】  １．アルミ板
２．ヒ−タ−
３．断熱シ−ト
４．鋼板
５．連結用環穴
６．コンセント（給、受電部）
７．積雪量探知センサ−
８．半円形パネル
９．連結電力線
１０．固定金具
１１．ヒ−トコントロ−ラ−
１２．タイムスイッチ
１３．メインスイッチ
１４．配電盤
１５．融雪パネル
【図１】
0003127256.tif 000003
【図２】
0003127256.tif 000004
【図３】
0003127256.tif 000005
【手続補正書】
【提出日】平成18年5月13日(2006.5.13)
【手続補正１】
【補正対象書類名】実用新案登録請求の範囲
【補正対象項目名】全文
【補正方法】変更
【補正の内容】
【実用新案登録請求の範囲】
【請求項１】
畳状の大きさで熱伝導率の高いアルマイト処理を施されたアルミニウム板の裏面にヒーターの入る深い溝を設け、該溝内に漏電性と発火性の低い安全な発熱体テフロン又はシリコンヒーターを固定配線し、前記アルミニウム板の裏面に断熱シートを介して熱伝導率の低い鋼板を一体に取り付けしたパネル板を形成し、屋根頂上に積雪量の探知センサーを設け、屋内に配電盤を設け、該配電盤に前記探知センサーを接続すると共に、該配電盤にメインスイッチ、タイムスイッチ、ヒートコントローラを設置し、入電力により屋根面に設置した前記パネル板上の積雪の底部を溶かし、短時間で除雪を可能にし、積雪全体を溶かすことなく、危険な労働の省力化と省エネルギ化を図ったことを特徴とする融雪パネル。
【請求項２】
前記パネル板の両端面に受電用コンセント及び給電用コンセントを設け、屋根上のスペースに応じて複数の該パネル板を連結したことを特徴とした請求項１に記載の融雪パネル。
【手続補正書】
【提出日】平成18年8月15日(2006.8.15)
【手続補正１】
【補正対象書類名】実用新案登録請求の範囲
【補正対象項目名】全文
【補正方法】変更
【補正の内容】
【実用新案登録請求の範囲】
【請求項１】
畳状の大きさで熱伝導率の高いアルマイト処理を施されたアルミニウム板の裏面にヒーターの入る深い溝を設け、該溝内に漏電性と発火性の低い安全な発熱体四フッ化エチレン樹脂又はシリコンヒーターを固定配線し、前記アルミニウム板の裏面に断熱シートを介して熱伝導率の低い鋼板を一体に取り付けしたパネル板を形成し、屋根頂上に積雪量の探知センサーを設け、屋内に配電盤を設け、該配電盤に前記探知センサーを接続すると共に、該配電盤にメインスイッチ、タイムスイッチ、ヒートコントローラを設置し、入電力により屋根面に設置した前記パネル板上の積雪の底部を溶かし、短時間で除雪を可能にし、積雪全体を溶かすことなく、危険な労働の省力化と省エネルギ化を図ったことを特徴とする融雪パネル。
【請求項２】
前記パネル板の両端面に受電用コンセント及び給電用コンセントを設け、屋根上のスペースに応じて複数の該パネル板を連結したことを特徴とした請求項１に記載の融雪パネル。
(57)【要約】【課題】  従来の、のぼり旗装置は、旗部材が単に１枚の平坦な布地等によって形成されており、同じ広告宣伝語句等を長期間にわたり使用されている。宣伝等が単調であり、必ずしも充分な宣伝効果等を得られていない。【解決手段】  のぼり装置、旗部材を自由に分割し、分割された旗部材が逆Ｌ字型耳テープを介して、ファスナー、紐、テープ、ホック、ボタンで連結でき、着脱可能とし、日々、宣伝語句内容を変えることで人々の注意喚起ができるものである。広告宣伝内容が多様化され、使用価値が向上し、有力な広告宣伝の拡大を図ることができる。【選択図】図１
0003127258.tif 000002
【実用新案登録請求の範囲】
【請求項１】
旗部材を２分割、３分割、複数分割し、分割された旗部材が着脱可能にできる、のぼり旗装置
【請求項２】
請求項１の、のぼり旗装置において、支柱及び横杆と旗部材の連結には、ちち輪を介して新しく逆Ｌ字型耳テープを新設した、のぼり旗装置
【請求項３】
請求項１の、のぼり旗装置において、分割したのぼり旗部材を、逆Ｌ字型耳テープを介して、ファスナー、紐、テープ、ホック、ボタンで連結される装置
【考案の詳細な説明】
【技術分野】  支柱は従来のものを使用し、支柱及び横杆に旗部材を取り付けるには、ちち輪１と逆Ｌ字型耳テープ２を介して、ファスナー、紐、テープ、ホック、ボタンで着脱可能とし、旗部材を２分割、３分割、複数分割し、宣伝内容の入れ替えが可能な、分割式のぼり旗である。
【背景技術】  従来の、のぼり旗装置は、支柱及び横杆を連結し、この支柱と横杆とに旗部材１枚物の広告宣伝等が表示されたものである。
【考案の開示】
【考案が解決しようとする課題】  従来の、のぼり旗装置は、旗部材が単に１枚の平坦な布地等によって形成されており、同じ広告宣伝語句等を長期間にわたり使用されている。宣伝等が単調であり、必ずしも充分な宣伝効果等を得られていない。
【課題を解決するための手段】  上記課題を達成するために、この発明に係るのぼり装置においては、旗部材を自由に分割し、分割された旗部材が逆Ｌ字型耳テープ２を介して、ファスナー、紐、テープ、ホック、ボタンで連結でき、着脱可能とし、日々、宣伝語句内容を変え、人々の注意喚起ができるものである。
【考案の効果】  広告宣伝語句等を、日替わり、週替わり、月替わり等で、取り替えすることにより広告宣伝内容が多様化され、使用価値が向上し、有効な広告宣伝の拡大を図ることができる。
【図面の簡単な説明】
【図１】旗部材を、２分割し、ファスナー等で連結した正面図
【図２】旗部材を、３分割し、紐等で連結した正面図
【図３】支柱から旗部材を着脱した場合の図
【図４】旗部材を連結させる逆Ｌ字型耳テープ図
【符号の説明】
１  ‥‥‥ちち輪
２  ‥‥‥逆Ｌ字型耳テープ
３  ‥‥‥支柱
４  ‥‥‥横杆
Ｆ  ‥‥‥旗部材
【図１】
0003127258.tif 000003
【図２】
0003127258.tif 000004
【図３】
0003127258.tif 000005
【図４】
0003127258.tif 000006
【手続補正書】
【提出日】平成18年6月26日(2006.6.26)
【手続補正１】
【補正対象書類名】実用新案登録請求の範囲
【補正対象項目名】全文
【補正方法】変更
【補正の内容】
【実用新案登録請求の範囲】
【請求項１】
旗部材を複数分割し、分割された旗部材が着脱可能にできる、のぼり旗装置
【請求項２】
請求項１の、のぼり旗装置において、支柱及び横杆と旗部材の連結には、ちち輪を介して新しく逆Ｌ字型耳テープを新設した、のぼり旗装置
【請求項３】
請求項１の、のぼり旗装置において、分割したのぼり旗部材を逆Ｌ字型耳テープを介して、ファスナー、紐、テープ、ホック、ボタンで連結される装置
(57)【要約】      （修正有）【課題】プレートにゴム板をとりつけた送り状貼付用具に関するものである。【解決手段】プレート１の両端のヘリを折り返し、これを搬送すべきものに取り付ける。この返しへりにゴム板４を挟み込み、これに送り状などのシールを貼り付ける。又送り状が不要なときは、これをゆっくりと剥がしてもとに戻す。【選択図】図１
0003127259.tif 000002
【実用新案登録請求の範囲】
【請求項１】
（イ）  プレートの両端のヘリを返し折り曲げる。（ロ）  この返したヘリにゴム板などの弾力性のある油脂板を挟み込む。以上の如く構成された送り状貼り付け板。なおプレートにゴム板を取り付ける方法には、  （Ｉ）  ゴム板にネジ穴をつけてネジ止めする方法  （ＩＩ）  ゴム板の両端をはさんでプレートに固定する方法などがある。
【考案の詳細な説明】
【考案の詳細な説明】
【産業上の利用分野】
【０００１】この考案は、プレートに油脂成分を含む板を取り付けた送り状等シール貼付板に関するものである。
【背景技術】
【０００２】従来宅配便などでものを搬送する場合、そのものに直接送り状などを貼り付けるか、ビニール袋に入れるか、ないしはダンボールなどで梱包した上に貼り付けるかしか方法がなかった。品物に直接貼り付けた場合は、後でこれを剥がそうとしてもうまく剥がれず、跡がのこり、何回も繰り返して搬送する場合などは、シール跡が何重にも残って汚く見栄えが悪くなる。
【考案が解決しようとしている課題点】
【０００３】本案は、これらの欠点を除き繰り返して搬送するような場合でもいつも綺麗に送り状などを貼付できるものである。
【課題を解決するための手段】
【０００４】今その解決手段を図面を追いながら説明すれば、  （イ）プレート１の両端のヘリの一部又は全部を折り曲げ返す。  （ロ）このプレート１を、搬送しようとする物に取り付ける。  （ハ）このプレート１に、ゴム板などの油脂成分を含んだ板を挟み込む。ゴム板は弾力性もあるので、返しへりに無理なく挟み込めて適度なサイズであればずり落ちることも少ない。又両面テープなどでゴム板とプレートをを接着することでなお補完できる。
【作用】
【０００５】本案は、以上の構造であるから、これを使用するときは、プレート１に挟み込んだゴム板４に粘着液のついた送り状などのシールを貼り付ける。使用が終わったときは、貼り付けた送り状シールをゆっくりと剥がしてとる。ゴム板に含んでいる油脂成分により、送り状などのシールに付着する粘着液がゴム板に十分に浸透することなく、従ってゆっくり剥がすと綺麗に剥がして取れる。
【実施例】
【０００６】なお、本案の実施にあたって、次の如きことが出来る。  （イ）返しへり２の代わりにネジ又は挟み具などでゴム板４を固定することができる。  （ロ）（イ）の場合、ゴム板４は、油脂成分を含んだ平板で代用することができる。
【考案の効果】
【０００７】従って、物品の搬送にあたり、送り状を簡単に、しかも綺麗に体裁よく貼り付け、使用後は綺麗に剥がすことが出来る。
【図面の簡単な説明】
【図１】本考案の正面図
【図２】プレート１に挟み込むゴム板正面図
【図３】本考案のゴム板を挟み込んだ平面図
【符号の説明】
１はプレート  ２はプレートの返しへり  ３はプレートを搬送物にとりつけるネジ穴  ４はプレートに挟み込むゴム板
【図１】
0003127259.tif 000003
【図２】
0003127259.tif 000004
【図３】
0003127259.tif 000005
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
（イ）  プレート１の両端のヘリを折り曲げる。
（ロ）返したヘリにゴム板４を挟み込む。
以上の如く構成された送り状貼り付け板
【請求項２】
ゴム板４を油脂成分を含む板にした請求項１の送り状貼り付け板
(57)【要約】【課題】  タオルを動き回るペットに簡単に着せることができる。  ペットのシャンプーの後の乾燥が簡単にできる。【解決手段】  タオルの両サイドにゴムを通し、その両端にスナップをつけとめて輪にする。背中にペット用ドライタオルをのせ、輪から頭と尻尾を出し、ペット用ドライタオルの真ん中にドライヤーの先をいれ振りながら背中を乾かすための開口部を設ける。【選択図】図３
0003127254.tif 000002
【実用新案登録請求の範囲】
【請求項１】
タオルの両サイドにゴムを通し、その両端にスナップをつけ、タオルの真ん中に開口部を設けたペットのためのタオル。
【考案の詳細な説明】
【技術分野】
【０００１】タオルの両サイドにゴムを通し、その両端にスナップをつけ、タオルの真ん中に開口部を設けたペットのためのドライタオル。
【背景技術】
【０００２】従来のペット用タオルは、ペットが体をふるった時外れたり、かぶせるのに手間がかかった。
【考案の開示】
【考案が解決しようとする課題】
【０００３】▲１▼  ペットが体をふるった時外れてしまわないタオルで、簡単にペットの被せることができること。
▲２▼  タオルを掛けたままドライヤーを使うと暖かい空気が逃げないため、乾燥の時間が短くて済む。ドライヤーを使う時も動き回るペットにタオルを掛けたままドライヤーを使用することができること。
【考案が解決するための手段】
【０００４】上記目的を達成するために，タオルの両サイドにゴムを通し、その両端にスナップをつけ、タオルの真ん中に開口部を設けたペットのためのドライタオル。
【考案の効果】
【０００５】タオルの両サイドにゴムを通しスナップを止めて輪にする。犬等の頭と尻尾を、ゴムの輪から出して体を覆うとペットが体をふるっても外れてしまわない。ペット用ドライタオルの真ん中の背中部分の開口部から、ドライヤーの先をいれ振りながら背中を乾かすと暖かい空気が逃げないため、短時間で背中が乾く。下の開口部からドライヤーで乾かすとおなか部分も短時間で乾く。
【考案を実施するための最良の形態】
【０００６】タオルの両サイドにゴムを通し、その両端にスナップをつけ、タオルの真ん中に開口部を設ける。
【実施例】
【０００７】タオルの両サイドにゴムを通し、その両端にスナップをつけ、タオルの真ん中に開口部を設け、犬等の頭と尻尾を出して体を覆う。タオルの真ん中の背中部分の開口部から、ドライヤーの先をいれ振りながら背中を乾かすと暖かい空気が逃げないため、短時間で背中が乾く。下の開口部からドライヤーで乾かすとおなか部分も短時間で乾く。
【産業上の利用の可能性】
【０００８】ペットを清潔に飼うため最近では、シャンプーを頻繁にしますが、犬等は濡れると体をふるって水分を飛ばします。部屋中に水を飛ばされます。本考案のペット用ドライタオルを犬など洗ってすぐ、スナップを止めたペット用ドライタオルを背中に載せ、ゴム部分の穴から頭と尻尾を出し、かぶせると体をふるっても回りに水が飛び散らない。簡単にペットに着せることができる。乾燥のためのドライヤー使用もペット用ドライタオルをかぶせたままだと暖かい空気が逃げないため、短時間で乾燥する。
【図面の簡単な説明】
【図１】ペット用ドライタオルの平面図
【図２】ペット用ドライタオルの犬に着せた状態の斜視図
【図３】ペット用ドライタオルの犬に着せドライヤーを使った状態の斜視図
【符号の説明】
１  タオル
２  ゴム
３  スナップ
４  開口部
５  ドライヤー
６  犬
【図１】
0003127254.tif 000003
【図２】
0003127254.tif 000004
【図３】
0003127254.tif 000005